(57)【要約】【課題】露光ヘッドの制御装置において、装置構成の複雑化を回避しながら、装置部分の汎用性を極力維持できるようにする。【解決手段】ライン状光源にて写真感光材料上に画像を露光形成する露光ヘッド１３に対して、前記各光源の配置状態に対応して画像データを送ると共に、入力された画像データに前記各光源に対応して予め設定されている補正用データにて補正する露光ヘッド用制御装置において、アドレス空間内に前記入力された画像データを記憶するためのエリアと前記補正用データを記憶するためのエリアとが割り付けられるメモリ３１が備えられ、複数の前記ライン状光源において同時に露光するラインの画像データと夫々の光源に対応する前記補正用データを前記メモリから順次に読出して、前記画像データ補正装置３０へ送るように構成されている。【選択図】図１
2006281671.tif 000002
【特許請求の範囲】
【請求項１】
主走査方向に複数の光源を配列したライン状光源にて写真感光材料上に画像を露光形成する露光ヘッドに対して、前記各光源の配置状態に対応して画像データを送るデータ管理装置と、入力された画像データに前記各光源に対応して予め設定されている補正用データにて補正して前記露光ヘッドへ送る画像データを生成する画像データ補正装置とが備えられた露光ヘッド用制御装置であって、
アドレス空間内に前記入力された画像データを記憶するためのエリアと前記補正用データを記憶するためのエリアとが割り付けられるメモリが備えられ、
前記データ管理装置は、複数の前記ライン状光源において同時に露光するラインの画像データと夫々の光源に対応する前記補正用データを前記メモリから順次に読出して、前記画像データ補正装置へ送るように構成されている露光ヘッド用制御装置。
【請求項２】
複数個の前記ライン状光源が、前記主走査方向と交差する副走査方向に設定間隔で画像形成位置を離間した状態で配置されている請求項１記載の露光ヘッド用制御装置。
【請求項３】
前記ライン状光源が、露光色の異なる複数個のライン状光源にて構成され、
前記データ管理装置には、各露光色の夫々に対応して、前記メモリに対する画像データの書込みと読出しとを管理する複数の個別露光色用制御装置と、前記メモリに対する前記補正用データの読出しを管理する補正用読出し制御装置とが備えられて構成されている請求項１又は２記載の露光ヘッド用制御装置。
【請求項４】
前記個別露光色用制御装置は、前記メモリに対する画像データの書込みを行う書込み制御装置と前記メモリから画像データの読出しを行う読出し制御装置とが別個に設けられて構成されている請求項３記載の露光ヘッド用制御装置。
【発明の詳細な説明】
【技術分野】
【０００１】
本発明は、主走査方向に複数の光源にて写真感光材料上に画像を露光形成する露光ヘッドに対して、前記各光源の配置状態に対応して画像データを送るデータ管理装置と、入力された画像データに前記各光源に対応して予め設定されている補正用データにて補正して前記露光ヘッドへ送る画像データを生成する画像データ補正装置とが備えられた露光ヘッド用制御装置に関する。
【背景技術】
【０００２】
かかる露光ヘッド制御装置は、例えば、下記特許文献１に記載されている主走査方向に複数の光源を配列したライン状光源が前記主走査方向と交差する副走査方向に設定間隔で離間した状態で配置されて構成されている露光ヘッドのような、各種の形式の露光ヘッドに対して、前記各光源の配置状態に対応して画像データを送る制御装置である。
従来、このような露光ヘッドへ送出する画像データの管理は、画像データの供給元に行わせるようにするのが一般的であった。
【特許文献１】特開平８−１９２５３６号公報
【発明の開示】
【発明が解決しようとする課題】
【０００３】
しかしながら、複数の光源を主走査方向に並べて配置する形式の露光ヘッドでは、この露光ヘッドへ送る画像データの管理を画像データの供給元に負わせると、管理が必要以上に煩雑化してしまう場合があり、又、露光ヘッドの仕様が変更された場合に、それに対応して画像データの供給元でも処理仕様を変更する必要があり、装置の汎用性を欠くものとなる。
すなわち、複数の光源を主走査方向に並べて配置する形式の露光ヘッドでは、各光源からの出射光量のばらつきを抑制するために、入力された画像データに対して補正用データを適用する演算処理を行う必要があるが、そのような露光ヘッドに固有の補正用データの管理まで画像データの供給元に行わせるのは、データの管理等がいたずらに煩雑化してしまう。しかも、露光ヘッドの仕様が変更されたときには、それらのデータの管理仕様を変更する必要が生じるのである。
本発明は、かかる実情に鑑みてなされたものであって、その目的は、装置構成の複雑化を回避しながら、装置部分の汎用性を極力維持できるようにする点にある。
【課題を解決するための手段】
【０００４】
本出願の第１の発明は、主走査方向に複数の光源を配列したライン状光源にて写真感光材料上に画像を露光形成する露光ヘッドに対して、前記各光源の配置状態に対応して画像データを送るデータ管理装置と、入力された画像データに前記各光源に対応して予め設定されている補正用データにて補正して前記露光ヘッドへ送る画像データを生成する画像データ補正装置とが備えられた露光ヘッド用制御装置において、アドレス空間内に前記入力された画像データを記憶するためのエリアと前記補正用データを記憶するためのエリアとが割り付けられるメモリが備えられ、前記データ管理装置は、複数の前記ライン状光源において同時に露光するラインの画像データと夫々の光源に対応する前記補正用データを前記メモリから順次に読出して、前記画像データ補正装置へ送るように構成されている。
【０００５】
すなわち、供給元から送られてきた画像データとその画像データを光源の特性に合わせて補正するための補正用データとを、１つのアドレス空間内に夫々割り付けて記憶させ、そのメモリから画像データを読出す際に、複数のライン状光源において同時に露光する画像データと、夫々の光源に対応する補正用データとを順次に読出し、画像データ補正装置へ送って画像データに補正用データを適用させる。
従って、メモリからの画像データや補正用データの読出しアドレスの指定制御だけで、各光源に対応する補正用データの取り込みや、必要であれば画像データの並び替えを行うことができる。
しかも、ライン状光源にて露光させるための画像データ及び補正用データを１つのメモリ空間で管理するので、１つのデータバスやアドレスバスを、ライン状光源にて露光するための画像データや補正用データのやり取りのために共用することにもなっている。
【０００６】
又、本出願の第２の発明は、上記第１の発明の構成に加えて、複数個の前記ライン状光源が、前記主走査方向と交差する副走査方向に設定間隔で画像形成位置を離間した状態で配置されている。
すなわち、複数のライン状光源は、夫々の画像形成位置が前記副走査方向で位置ズレした状態で配置されているため、これらのライン状光源に送る画像データも、単にラスタ画像データのデータの並び順に送るのではなく、ライン状光源の画像形成位置の間隔に応じて離間した位置の画像データを同時に送出して、写真感光材料上に同時に露光させる必要がある。
この露光ヘッドに固有の光源の位置情報に起因する画像データの並び替え処理を、前記メモリからの読出しアドレスの指定制御だけで行うことができるのである。
このような画像データの並び替え処理を行わせる装置の装置構成としては、例えば前記ライン状光源毎に、入力された画像データのうちのそのライン状光源が担当する部分（色又は露光位置）の画像データを記憶するメモリと、そのメモリに対する画像データの書込み及び前記ライン状光源の配置状態に対応した画像データの読出しを制御する制御装置とを別個に設ける構成とすることも考えられるが、上記のように単一のメモリアドレス空間内で各ライン状光源のための画像データや補正用データを記憶させることで、装置構成を極めて簡素化することができる。
【０００７】
又、本出願の第３の発明は、上記第１又は第２の発明の構成に加えて、前記ライン状光源が、露光色の異なる複数個のライン状光源にて構成され、前記データ管理装置には、各露光色の夫々に対応して、前記メモリに対する画像データの書込みと読出しとを管理する複数の個別露光色用制御装置と、前記メモリに対する前記補正用データの読出しを管理する補正用読出し制御装置とが備えられて構成されている。
すなわち、露光ヘッドにて写真感光材料上にカラー画像を形成するために、ライン状光源として露光色の異なる複数個が備えられているときに、各露光色毎に備えられた個別露光色用制御装置にて画像データの前記メモリに対する読み書きを制御すると共に、各露光色毎に備えられた補正用読出し制御装置にて前記メモリからの補正用データの読出しを制御することで、担当機能を分割して制御装置を構成することになり、データ管理装置の装置構成が過度に複雑化してしまうのを回避できる。
【０００８】
又、本出願の第４の発明は、上記第３の発明の構成に加えて、前記個別露光色用制御装置は、前記メモリに対する画像データの書込みを行う書込み制御装置と前記メモリから画像データの読出しを行う読出し制御装置とが別個に設けられて構成されている。
すなわち、上流側から受け取った画像データの書込みアドレスの指定等を実行する制御動作と、前記メモリから画像データを読出す際のアドレス指定等を実行する制御動作とを別個の制御装置にて実行させることで、前記個別露光色用制御装置の装置構成が複雑化してしまうのを回避できる。
【発明の効果】
【０００９】
上記第１の発明によれば、メモリからの画像データや補正用データの読出しアドレスの指定制御だけで、各光源に対応する画像データ及び補正用データの取り込みを行うことができ、しかも、ライン状光源にて露光させるための画像データ及び補正用データを１つのメモリ空間で管理するので、１つのデータバスやアドレスバスを、ライン状光源にて露光するための画像データや補正用データのやり取りのために共用することにもなり、露光ヘッドの事情に応じて画像データや補正用データの取り込みを行うための装置構成を簡素化することができ、装置構成の複雑化を可及的に回避しながら、装置部分の汎用性を極力維持できるものとなった。
【００１０】
又、上記第２の発明によれば、露光ヘッドに固有の光源の位置情報に起因する画像データの並び替え処理を、前記メモリからの読出しアドレスの指定制御だけで行うことができる。
又、上記第３の発明によれば、担当機能を分割して制御装置を構成することで、データ管理装置の装置構成が過度に複雑化してしまうのを回避でき、装置構成の一層の簡素化を図ることができる。
又、上記第４の発明によれば、前記メモリから画像データを読出す際のアドレス指定等を実行する制御動作とを別個の制御装置にて実行させることで、前記個別露光色用制御装置の装置構成が複雑化してしまうのを回避でき、装置構成を更に簡素化することができる。
【発明を実施するための最良の形態】
【００１１】
以下、本発明の露光ヘッド用制御装置を備えた写真プリントシステムを図面に基づいて説明する。
本実施の形態で例示する写真プリントシステムＤＰは、いわゆるデジタルミニラボ機として知られているシステムであり、図２に示すように、入力された画像データに基づいて写真プリントを出力処理する写真プリント装置ＥＰと、画像が撮影された写真フィルムや画像データが記録された各種の記録媒体から画像データを取込んで写真プリント装置ＥＰへ送るための画像データを生成する画像入力装置ＩＲとを主要部として構成されている。
【００１２】
〔画像入力装置ＩＲの概略構成〕
画像入力装置ＩＲには、図２に概略的に示すように、写真フィルムの画像を読取って画像データとして出力するフィルムスキャナ３と、パーソナルコンピュータにて構成される主制御装置４と、写真プリント装置ＥＰにて良好な写真プリントが得られるように入力された画像データを画像処理する画像処理装置５とが備えられ、主制御装置４には、仕上がりプリント画像をシミュレートしたシミュレート画像や各種の制御用の情報を表示するモニタ４ａと、操作卓４ｂと、マウス４ｃと、メモーリカードやＣＤ−Ｒ等の各種の記録媒体から画像データを読込むための読取り装置４ｄとが接続されている。
【００１３】
〔写真プリント装置ＥＰの全体構成〕
写真プリント装置ＥＰは、図２に示すように、筐体内部に、写真感光材料ＰＳである印画紙２に画像を露光形成する露光ヘッド１３と、露光ヘッド１３を含む写真プリント装置ＥＰ内の機器の動作を管理するプリント管理部ＰＣと、露光ヘッド１３にて画像が露光形成された印画紙２を現像処理する現像処理装置ＰＰと、筐体上部側に設置された印画紙マガジン６から引き出された印画紙２を多数の搬送ローラ９等にて現像処理装置ＰＰへ搬送する印画紙搬送系ＰＴとが設けられている。
図示を省略するが、写真プリント装置ＥＰの筐体外部には、現像処理装置ＰＰにて現像処理及び乾燥処理された印画紙２をオーダ毎に分類するためのソータが備えられており、現像処理装置ＰＰから排出された印画紙２をそのソータへ搬送するためにコンベア８が配置されている。
更に、印画紙搬送系ＰＴの搬送経路の途中には、印画紙マガジン６から引き出された長尺の印画紙２を設定プリントサイズに切断するカッタ１０が備えられている。
【００１４】
露光ヘッド１３は、図３に平面図で模式的に示すように、赤色ライン状光源２１ａ，上流側緑色ライン状光源２１ｂ，上流側青色ライン状光源２１ｃ，下流側緑色ライン状光源２１ｄ，及び，下流側青色ライン状光源２１ｅの５つのライン状光源２１を備えて構成されている。
この５つのライン状光源２１によって、上流側の画像形成位置ＵＥと下流側の画像形成位置ＬＥとの、印画紙２の搬送方向（副走査方向）に設定間隔で離間した２箇所の画像形成位置において、印画紙２に対して画像を露光形成する。
上流側の画像形成位置ＵＥにおける露光のために、赤色光を出射する赤色ライン状光源２１ａ，緑色光を出射する上流側緑色ライン状光源２１ｂ及び青色光を出射する上流側青色ライン状光源２１ｃが配置されている。図３では、説明の便宜上、赤色ライン状光源２１ａ，上流側緑色ライン状光源２１ｂ及び上流側青色ライン状光源２１ｃを、印画紙２の搬送方向（副走査方向）に並べて図示しているが、実際には、図示を省略するダイクロイックミラーやレンズ等を備えて、これらのライン状光源２１ａ，２１ｂ，２１ｃが同一位置（上流側の画像形成位置ＵＥ）を露光対象としている。
又、下流側の画像形成位置ＬＥにおける露光のために、緑色光を出射する下流側緑色ライン状光源２１ｄ及び青色光を出射する下流側青色ライン状光源２１ｅが配置されている。これら各ライン状光源２１ｄ、２１ｅについても、上流側のライン状光源２１ａ，２１ｂ，２１ｃと同様に、ダイクロイックミラーやレンズ等にて印画紙２上の同一位置（下流側の画像形成位置ＬＥ）を露光対象としている。
【００１５】
各ライン状光源２１は、図３に示すように、赤色ライン状光源２１ａは多数の光源ＬＳ（赤色ＬＥＤ素子）が印画紙２の搬送横幅方向（主走査方向）に密に一定周期で配列され、他のライン状光源２１ｂ，２１ｃ，２１ｄ，２１ｅは、夫々の出射光色の光源ＬＳ（蛍光管発光素子）が、赤色ライン状光源２１ａの１／２の密度で主走査方向に一定周期で配列されている。各光源ＬＳは、夫々単独で８ビットあるいは１２ビット等の設定ビット数で表現される濃度階調をもって１画素ドットを露光形成する。
各光源ＬＳで１色の１画素ドットを形成する関係上、各光源ＬＳ間の特性ばらつきによって出射光量にバラツキが発生し、印画紙２上の発色に色むらが発生する。
このため、プリント管理部ＰＣでは、各光源ＬＳの夫々に対応して補正用データを記憶しており、画像入力装置ＩＲから送られてきた画像データにその補正用データを適用することで各光源ＬＳ間の特性ばらつきを補償している。
【００１６】
上流側緑色ライン状光源２１ｂと下流側緑色ライン状光源２１ｄとは、夫々における光源ＬＳの並び周期が１／２周期ずれた状態で配置されており、上流側緑色ライン状光源２１ｂと下流側緑色ライン状光源２１ｄとで異なる画素ドットを露光し、上流側緑色ライン状光源２１ｂ及び下流側緑色ライン状光源２１ｄの両方で露光されることで初めて１行分の緑色の露光画像（印画紙２上での発色は補色であるマゼンタ）が完成する。
この関係は、上流側青色ライン状光源２１ｃ及び下流側青色ライン状光源２１ｅについても同様である。
これに対して、赤色ライン状光源２１ａは、光源ＬＳである赤色ＬＥＤ素子を高密度で配置できるため、単一のライン状光源２１で１行分の画素ドットを露光して、１行分の赤色の露光画像（印画紙２上での発色は補色であるシアン）を完成する。
【００１７】
上記のように、上流側の画像形成位置ＵＥと下流側の画像形成位置ＬＥとの２箇所で同時に露光動作させるために、画像入力装置ＩＲの画像処理装置５からラスタ走査状のデータ並びで受け取った画像データを並び替えて露光ヘッド１３へ供給する必要がある。
この画像データの並び替え処理を実行する露光ヘッド用制御装置ＨＣが、プリント管理部ＰＣ内に設けられている。
露光ヘッド用制御装置ＨＣは、図１に示すように、上段側から入力される画像データや上記の補正用データを記憶保持するメモリ３１と、上段側から同一のタイミングで入力されるシアン，マゼンタ及びイエローの画像データをデータバスＤＢを介して順次にメモリ３１へ書込むために、いずれの入力信号線をデータバスＤＢに接続するかを切換える入力側の切換え回路３２と、メモリ３１から順次に読出される画像データ及び補正用データをシアン，マゼンタ及びイエローの各色の出力信号線（各色毎に画像データ用と補正用データ用とがある）に振分けて出力するために、データバスＤＢにいずれの出力信号線を接続するかを切換える出力側の切換え回路３３と、切換え回路３３から出力される画像データに補正用データを適用する演算を実行して画像データを補正する画像データ補正装置３０とが備えられている。画像データ補正装置３０は、入力側に演算対象の２データを保持するバッファメモリを備えると共に出力側に演算結果を保持するバッファメモリを備えた乗算回路にて構成され、シアン，マゼンタ及びイエローの夫々について設けられている。
【００１８】
露光ヘッド用制御装置ＨＣには、更に、メモリ３１のアドレスバスＡＤに接続される形で、シアンの画像データについてのメモリ３１への書込みを制御するシアン用書込み制御回路３４Ｗと、シアンの画像データについてのメモリ３１からの読出しを制御するシアン用読出し制御回路３４Ｒと、マゼンタの画像データについてのメモリ３１への書込みを制御するマゼンタ用書込み制御回路３５Ｗと、マゼンタの画像データについてのメモリ３１からの読出しを制御するマゼンタ用読出し制御回路３５Ｒと、イエローの画像データについてのメモリ３１への書込みを制御するイエロー用書込み制御回路３６Ｗと、イエローの画像データについてのメモリ３１からの読出しを制御するイエロー用読出し制御回路３６Ｒと、赤色ライン状光源２１ａについての補正用データの読出しを制御するシアン用補正読出し制御回路３７と、上流側緑色ライン状光源２１ｂ及び下流側緑色ライン状光源２１ｄについての補正用データの読出しを制御するマゼンタ用補正読出し制御回路３８と、上流側青色ライン状光源２１ｃ及び下流側青色ライン状光源２１ｅについての補正用データの読出しを制御するイエロー用補正読出し制御回路３９と、各ライン状光源２１についての補正用データをメモリ３１へ書込むための補正書込み制御回路４０とが備えられ、シアン用読出し制御回路３４Ｒ〜イエロー用補正読出し制御回路３９の各制御回路の動作タイミングを管理する読み書きタイミング制御回路４１が備えられている。
ここで、画像データ等に関する色表現をシアン，マゼンタ及びイエローと表現しているが、これは、印画紙２上の発色で表現しており、シアンの画像データは赤色ライン状光源２１ａを駆動するための画像データであり、マゼンタの画像データは上流側緑色ライン状光源２１ｂ及び下流側緑色ライン状光源２１ｄを駆動するための画像データであり、イエローの画像データは上流側青色ライン状光源２１ｃ及び下流側青色ライン状光源２１ｅを駆動するための画像データである。補正用データについても同様である。
【００１９】
シアン，マゼンタ及びイエローの画像データ、並びに、上記の補正用データを１つのアドレス空間内に記憶するメモリ３１は、夫々のデータを記憶するための記憶エリアが固定的に定められたアドレス範囲で設定されており、シアン，マゼンタ及びイエローの画像データを記憶するための記憶エリアは、各色について、１行のデータ数を露光ヘッド１３で露光可能な最大幅（主走査方向）の画素数として設定行数分の記憶容量を有しており、いずれのアドレスの画像データが各ライン状光源２１のいずれの光源ＬＳにて露光されるかに直接的に対応している。
又、補正用データを記憶するための記憶エリアは、各ライン状光源２１について、実際に露光に使用される光源ＬＳの数の補正用データを記憶できる記憶エリアを有しており、いずれのアドレスの補正用データが各ライン状光源２１のいずれの光源ＬＳの補正のために使用されるものかが一対一で対応している。
尚、露光ヘッド用制御装置ＨＣにおける、メモリ３１以外の各回路（各切換え回路３２，３３及び各制御回路３４Ｗ〜４１）は、ＦＰＧＡを利用して論理回路として構成されている。この他、メモリ３１以外の各回路をＣＰＵ，ＤＳＰ，ＡＳＩＣや専用ＩＣを用いて構成するようにしても良い。
【００２０】
〔画像データの並び替え処理〕
次に、上記構成の露光ヘッド用制御装置ＨＣによる画像データの並び替え処理について説明する。
画像データの並び替え処理の全体的な管理を実行する読み書きタイミング制御回路４１は、図４乃至図７においてフローチャートとして示す処理を実質的に実行するようにＦＰＧＡ上に論理回路として実装されている。
以下において、上流側の画像形成位置ＵＥと下流側の画像形成位置ＬＥとは、印画紙２上に形成される画素ドットの並びで、両画像形成位置ＵＥ，ＬＥの間に２行の画素ドットが存在する間隔で配置されているものとして説明する。すなわち、下流側の画像形成位置ＬＥで第１行目の画像を露光形成しているときに、上流側の画像形成位置ＵＥで第４行目の画像を露光形成している関係となる。
【００２１】
図示を省略するが、露光ヘッド用制御装置ＨＣの上流側に位置するシステム制御装置１４には、複数の駒画像分の画像データを記憶保持する比較的大容量のバッファメモリが備えられており、露光ヘッド用制御装置ＨＣは、そのバッファメモリからラスタ走査状のデータ並びで送られてくる画像データを、露光ヘッド１３の光源配置に対応したデータ並びに並び替えて出力する。
システム制御装置１４は、露光ヘッド１３による露光動作の開始に先立って、露光動作の対象となる画像の画像サイズの情報を露光ヘッド用制御装置ＨＣの読み書きタイミング制御回路４１へ報知する。
読み書きタイミング制御回路４１は、この画像サイズの情報を受け取ると（ステップ＃１）、プリント対象の画像の搬送横幅方向（主走査方向）のサイズをシアン用書込み制御回路３４Ｗ〜イエロー用補正読出し制御回路３９の各制御回路へ送信する（ステップ＃２）。
【００２２】
シアン用書込み制御回路３４Ｗ〜イエロー用読出し制御回路３６Ｒの各制御回路は、読み書きタイミング制御回路４１から受け取った画像サイズの情報（主走査方向の画素数）に基づいて、メモリ３１上に設定されているシアンの画像データ，マゼンタの画像データ，及び，イエローの画像データの記憶エリアの夫々において、システム制御装置１４から送られてくる画像データの記憶に使用するアドレス範囲を特定して、そのアドレス範囲を夫々に内蔵されているアドレス生成回路にセットする。
又、シアン用補正読出し制御回路３７〜イエロー用補正読出し制御回路３９の各制御回路は、読み書きタイミング制御回路４１から受け取った画像サイズの情報（主走査方向の画素数）に基づいて、メモリ３１上に設定されているシアンの補正用データ，マゼンタの補正用データ（上流側緑色ライン状光源２１ｂのための補正用データ及び下流側緑色ライン状光源２１ｄのための補正用データの双方を含む），及び，イエローの補正用データ（上流側青色ライン状光源２１ｃのための補正用データ及び下流側青色ライン状光源２１ｅのための補正用データの双方を含む）の記憶エリアの夫々において、個々の補正用データを読出すアドレス範囲を特定して、そのアドレス範囲を夫々に内蔵されているアドレス生成回路にセットする。
尚、上記補正用データは、上述のようにライン状光源２１の個々の出力が均一になるように補正するためのデータであり、各ライン状光源２１毎の補正用データが図示を省略する記憶装置に記憶保持されており、補正書込み制御回路４０の制御により、例えば装置起動時等にその記憶装置から読出されてメモリ３１の所定の領域に書込まれる。
【００２３】
この後、システム制御装置１４は、露光ヘッド用制御装置ＨＣの上流側のバッファメモリから、ラスタ画像の先頭の画素の画像データ（すなわち、シアンの画像データ，マゼンタの画像データ及びイエローの画像データ）を、上流側の切換え回路３２の夫々の入力信号線に同じタイミングで流すと共に、読み書きタイミング制御回路４１に対して画像データの書込み要求を送る。
読み書きタイミング制御回路４１は、システム制御装置１４から画像データの書込み要求を受け取ると（ステップ＃３）、先ず、上流側の切換え回路３２に対してシアンの画像データの入力信号線をデータバスＤＢに接続するように指示すると共に、シアン用書込み制御回路３４Ｗに対してデータバスＤＢ上のデータを所定のアドレス設定でメモリ３１へ書込むように指示する（ステップ＃４）。
シアン用書込み制御回路３４Ｗに内蔵されているアドレス生成回路は、初期値として、シアンの画像データの記憶エリアのうちの画像サイズによって特定したアドレス範囲の先頭位置を出力しており、これによって、シアンの画像データがメモリ３１の指定位置に書込まれる。
【００２４】
読み書きタイミング制御回路４１は、次に、上流側の切換え回路３２に対してマゼンタの画像データの入力信号線をデータバスＤＢに接続するように指示すると共に、マゼンタ用書込み制御回路３５Ｗに対してデータバスＤＢ上のデータを所定のアドレス設定でメモリ３１へ書込むように指示する（ステップ＃５）。
マゼンタ用書込み制御回路３５Ｗに内蔵されているアドレス生成回路も、シアン用書込み制御回路３４Ｗに内蔵のアドレス生成回路と同様の動作を行い、マゼンタの画像データがメモリ３１の指定位置に書込まれる。
この後、更にイエローの画像データについても同様の手順でメモリ３１へ書込まれて（ステップ＃６）、ラスタ画像の先頭の１画素の画像データのメモリ３１への書込みが完了する。
このメモリ３１への画像データの書込みを４行（ラスタ画像での行）分の画像データについて完了するまで繰り返す（ステップ＃７）。
この間、シアン用書込み制御回路３４Ｗ，マゼンタ用書込み制御回路３５Ｗ及びイエロー用書込み制御回路３６Ｗのアドレス生成回路は、１画素分の画像データの書込みを完了するたびに、出力アドレスを１だけ増加させる。但し、１行の終端に達したときは画像のサイズに応じた一定量だけアドレスをジャンプさせる。
【００２５】
画像の先頭の４行分の画像データがメモリ３１に記憶され、プリント開始の準備が整った状態で、システム制御装置１４は、印画紙２の先端が上流側の画像形成位置ＵＥまで搬送されて来ると、読み書きタイミング制御回路４１に対してデータ出力要求を送信する。
読み書きタイミング制御回路４１は、このデータ出力要求を受け取ると（ステップ＃８）、先ず、下流側の切換え回路３３に対してシアンの画像データの出力信号線をデータバスＤＢに接続するように指示すると共に、シアン用読出し制御回路３４Ｒに対して１画素分の画像データをデータバスＤＢ上に出力させるように指示する（ステップ＃９）。
シアン用読出し制御回路３４Ｒに内蔵されているアドレス生成回路は、初期値として、シアンの画像データの記憶エリアのうちの画像サイズによって特定したアドレス範囲の先頭位置を出力しており、そのアドレスのシアンの画像データがデータバスＤＢへ出力される。尚、主走査方向の１行分の画像データをどの順序で出力するかは、露光ヘッド１３の仕様によるが、本実施の形態の露光ヘッド１３は、１行内においては、ラスタ走査状の並びで画像データを要求するものとして説明する。
データバスＤＢに出力されたシアンの画像データは、下流側の切換え回路３３からシアンの画像データの出力信号線を経てシアンの画像データ補正装置３０の入力側バッファメモリへ書込まれる。
【００２６】
読み書きタイミング制御回路４１は、次に、下流側の切換え回路３３に対してシアンの補正用データの出力信号線をデータバスＤＢに接続するように指示すると共に、シアン用補正読出し制御回路３７に対して補正用データをデータバスＤＢ上に出力させるように指示する（ステップ＃１０）。
シアン用補正読出し制御回路３７に内蔵されているアドレス生成回路は、初期値として、画像サイズによって特定したアドレス範囲の先頭位置を出力しており、そのアドレスのシアンの補正用データがデータバスＤＢへ出力される。尚、このとき出力される補正用データは、直前に出力されたシアンの画像データで駆動される光源ＬＳのための補正用データとなっている。
データバスＤＢに出力されたシアンの補正用データは、下流側の切換え回路３３からシアンの補正用データの出力信号線を経てシアンの画像データ補正装置３０の入力側バッファメモリへ書込まれる。
シアンの画像データ補正装置３０は、入力側のバッファメモリにシアンの画像データとシアンの補正用データとが書込まれると、両データを乗算してその結果を出力側のバッファメモリへ書込む。
【００２７】
次に、同じ画素のマゼンタの画像データとイエローの画像データとの処理を行うのであるが、シアンの画像データを扱う赤色ライン状光源２１ａは単一のライン状光源２１で画像を形成するのに対して、マゼンタ及びイエローの画像データについては、夫々、上流側のライン状光源２１と下流側のライン状光源２１とで画像を形成するため取扱いが異なる。
以下において、説明の便宜上、始端から奇数番目の画素を下流側緑色ライン状光源２１ｄ及び下流側青色ライン状光源２１ｅにて露光し、偶数番目の画素を上流側緑色ライン状光源２１ｂ及び上流側青色ライン状光源２１ｃにて露光するものとして説明する。尚、始端から奇数番目の画素を上流側のライン状光源２１ｂ，２１ｃにて露光し、偶数番目の画素を下流側のライン状光源２１ｄ，２１ｅにて露光するように、各ライン状光源２１の光源ＬＳを配置しても良いのはもちろんのことである。
このように、離間した位置の画素の画像データを取り扱う関係で、マゼンタ用読出し制御回路３５Ｒ及びイエロー用読出し制御回路３６Ｒには、奇数番目の画素用のアドレス生成回路と偶数番目の画素用のアドレス生成回路とを別個に備えている。これは、マゼンタ用補正読出し制御回路３８及びイエロー用補正読出し制御回路３９についても同様で、夫々、下流側緑色ライン状光源２１ｄ又は下流側青色ライン状光源２１ｅのための奇数番目の光源用のアドレス生成回路と、上流側緑色ライン状光源２１ｂ又は上流側青色ライン状光源２１ｃのための偶数番目の光源用のアドレス生成回路とを別個に備えている。
読み書きタイミング制御回路４１は、システム制御装置１４からの各画素毎のデータ出力要求の受取り回数を積算しており、その受取り回数が奇数であれば、下流側緑色ライン状光源２１ｄ及び下流側青色ライン状光源２１ｅのための画像データ等の出力を指示し、偶数であれば、上流側緑色ライン状光源２１ｂ及び上流側青色ライン状光源２１ｃのための画像データ等の出力を指示する。
【００２８】
この時点では、下流側の画像形成位置ＬＥに印画紙２の先端側が到達していないので、データ出力要求の受取り回数が奇数のときは（ステップ＃１１）、下流側の切換え回路３３に対してマゼンタの画像データの出力信号線をデータバスＤＢに接続するように指示すると共に、マゼンタ用読出し制御回路３５Ｒに対して発光の停止に相当する「０」値の画像データをデータバスＤＢ上に出力させるように指示する（ステップ＃１２）。
これによって、マゼンタの画像データ補正装置３０の入力側のバッファメモリに画像データとして「０」値が保持される。
マゼンタの補正用データについても同様に、下流側の切換え回路３３に対してマゼンタの補正用データの出力信号線をデータバスＤＢに接続するように指示すると共に、マゼンタ用補正読出し制御回路３８に対して「０」値をデータバスＤＢ上に出力させるように指示する（ステップ＃１３）。
これによって、マゼンタの画像データ補正装置３０の入力側のバッファメモリに補正用データとして「０」値が保持される。
マゼンタの画像データ補正装置３０の入力側のバッファメモリにデータが揃うに伴って、乗算処理が実行され、その乗算結果（すなわち「０」値）が出力側のバッファメモリに書込まれる。
イエローについても同様であり、上記と同様にして（ステップ＃１４，＃１５）、イエローの画像データ補正装置３０の出力側のバッファメモリに「０」値が書込まれる。
全ての画像データ補正装置３０の出力側のバッファメモリに補正済みの画像データが揃うと、そのシアン，マゼンタ及びイエローの補正済みの画像データ（この時点では、マゼンタ及びイエローの画像データは「０」値）が一斉に露光ヘッド１３へ出力される。
【００２９】
一方、データ出力要求の受取り回数が偶数のときは（ステップ＃１１）、先ず、下流側の切換え回路３３に対してマゼンタの画像データの出力信号線をデータバスＤＢに接続するように指示すると共に、マゼンタ用読出し制御回路３５Ｒに対して上流側緑色ライン状光源２１ｂについての１画素分の画像データをデータバスＤＢ上に出力させるように指示する（ステップ＃１６）。
マゼンタ用読出し制御回路３５Ｒに内蔵されている偶数番目の画素用のアドレス生成回路は、初期値として、マゼンタの画像データの記憶エリアのうちの画像サイズによって特定したアドレス範囲で偶数番目の先頭位置を出力しており、そのアドレスのマゼンタの画像データがデータバスＤＢへ出力される。
データバスＤＢに出力されたマゼンタの画像データは、下流側の切換え回路３３からマゼンタの画像データの出力信号線を経てマゼンタの画像データ補正装置３０の入力側バッファメモリへ書込まれる。
【００３０】
読み書きタイミング制御回路４１は、次に、下流側の切換え回路３３に対してマゼンタの補正用データの出力信号線をデータバスＤＢに接続するように指示すると共に、マゼンタ用補正読出し制御回路３８に対して上流側緑色ライン状光源２１ｂについての補正用データをデータバスＤＢ上に出力させるように指示する（ステップ＃１７）。
マゼンタ用補正読出し制御回路３８に内蔵されている偶数番目の光源用のアドレス生成回路は、初期値として、画像サイズによって特定したアドレス範囲の先頭位置を出力しており、そのアドレスのマゼンタの補正用データがデータバスＤＢへ出力される。
データバスＤＢに出力されたマゼンタの補正用データは、下流側の切換え回路３３からマゼンタの補正用データの出力信号線を経てマゼンタの画像データ補正装置３０の入力側バッファメモリへ書込まれる。
マゼンタの画像データ補正装置３０は、入力側のバッファメモリにマゼンタの画像データとマゼンタの補正用データとが書込まれると、両データを乗算してその結果を出力側のバッファメモリへ書込む。
イエローの画像データ及び補正用データについても同様の取扱いをして（ステップ＃１８，＃１９）、イエローの画像データ補正装置３０の出力側のバッファメモリにイエローの画像データとイエローの補正用データとの乗算値が書込まれる。
全ての画像データ補正装置３０の出力側のバッファメモリに補正済みの画像データが揃うと、そのシアン，マゼンタ及びイエローの補正済みの画像データが一斉に露光ヘッド１３へ出力される。
【００３１】
このメモリ３１からの画像データの読出しを３行（ラスタ画像での行）分の画像データについて完了するまで繰り返す（ステップ＃２０）。
この間、シアン用読出し制御回路３４Ｒのアドレス生成回路は、１画素分の画像データの読出しを完了するたびに、出力アドレスを１だけ増加させる。但し、１行の終端に達したときは画像のサイズに応じた一定量だけアドレスをジャンプさせる。
又、マゼンタ用読出し制御回路３５Ｒ及びイエロー用読出し制御回路３６Ｒの偶数番目の画素用のアドレス生成回路は、１画素飛ばしでアクセスするために、１画素分の画像データの読出しを完了するたびに、出力アドレスを２だけ増加させる。但し、１行の終端に達したときは画像のサイズに応じた一定量だけアドレスをジャンプさせるのは、上記と同様である。
更に、シアン用補正読出し制御回路３７のアドレス生成回路，マゼンタ用補正読出し制御回路３８の偶数番目の光源用のアドレス生成回路及びイエロー用補正読出し制御回路３９の偶数番目のアドレス生成回路は、１画素分の画像データの読出しを完了するたびに出力アドレスを１だけ増加させ、画像のサイズによって特定されるアドレス範囲の終端に達したときは、そのアドレス範囲の始端にアドレスをジャンプさせる。
このようなアドレス指定によって、画像データの読出しの直後に、その画像データにて駆動される光源ＬＳのための補正用データが読出されるようにしている。
尚、マゼンタ用読出し制御回路３５Ｒ及びイエロー用読出し制御回路３６Ｒの奇数番目の画素用アドレス生成回路，並びに，マゼンタ用補正読出し制御回路３８及びイエロー用補正読出し制御回路３９の奇数番目のアドレス生成回路は、初期値のまま維持している。
【００３２】
画像データの読出しが４行目に達すると（ステップ＃２０）、シアンの画像データ及び補正用データについては、上述のステップ＃８〜＃１０と同様にして、メモリ３１からシアンの画像データとシアンの補正用データを読出し（ステップ＃２１〜＃２３）、それに伴って、それらの乗算結果がシアンの画像データ補正装置３０の出力側のバッファメモリへ書込まれる。
マゼンタ及びイエローについては、画像データの読出しが４行目に到達すると、下流側緑色ライン状光源２１ｄ及び下流側青色ライン状光源２１ｅの双方のために画像データを読出して供給する動作が開始する。
【００３３】
すなわち、データ出力要求の受取り回数が奇数のとき（下流側緑色ライン状光源２１ｄ及び下流側青色ライン状光源２１ｅにて露光される画素であるとき）は（ステップ＃２４）、先ず、下流側の切換え回路３３に対してマゼンタの画像データの出力信号線をデータバスＤＢに接続するように指示すると共に、マゼンタ用読出し制御回路３５Ｒに対して下流側緑色ライン状光源２１ｄについての１画素分の画像データをデータバスＤＢ上に出力させるように指示する（ステップ＃２５）。
マゼンタ用読出し制御回路３５Ｒに内蔵されている奇数番目の画素用のアドレス生成回路は、初期値として、マゼンタの画像データの記憶エリアのうちの画像サイズによって特定したアドレス範囲で奇数番目の先頭位置を出力しており、そのアドレスのマゼンタの画像データがデータバスＤＢへ出力される。
データバスＤＢに出力されたマゼンタの画像データは、下流側の切換え回路３３からマゼンタの画像データの出力信号線を経てマゼンタの画像データ補正装置３０の入力側バッファメモリへ書込まれる。
【００３４】
読み書きタイミング制御回路４１は、次に、下流側の切換え回路３３に対してマゼンタの補正用データの出力信号線をデータバスＤＢに接続するように指示すると共に、マゼンタ用補正読出し制御回路３８に対して下流側緑色ライン状光源２１ｄについての補正用データをデータバスＤＢ上に出力させるように指示する（ステップ＃２６）。
マゼンタ用補正読出し制御回路３８に内蔵されている奇数番目の光源用のアドレス生成回路は、初期値として、画像サイズによって特定したアドレス範囲の先頭位置を出力しており、そのアドレスのマゼンタの補正用データがデータバスＤＢへ出力される。
データバスＤＢに出力されたマゼンタの補正用データは、下流側の切換え回路３３からマゼンタの補正用データの出力信号線を経てマゼンタの画像データ補正装置３０の入力側バッファメモリへ書込まれる。
マゼンタの画像データ補正装置３０は、入力側のバッファメモリにマゼンタの画像データとマゼンタの補正用データとが書込まれると、両データを乗算してその結果を出力側のバッファメモリへ書込む。
【００３５】
イエローの画像データ及び補正用データについても同様の取扱いをして（ステップ＃２７，＃２８）、イエローの画像データ補正装置３０の出力側のバッファメモリにイエローの画像データとイエローの補正用データとの乗算値が書込まれる。
全ての画像データ補正装置３０の出力側のバッファメモリに補正済みの画像データが揃うと、そのシアン，マゼンタ及びイエローの補正済みの画像データが一斉に露光ヘッド１３へ出力される。
一方、データ出力要求の受取り回数が偶数のとき（上流側緑色ライン状光源２１ｂ及び上流側青色ライン状光源２１ｃにて露光される画素であるとき）は（ステップ＃２４）、ステップ＃１６〜＃１９と同様の処理を行って（ステップ＃２９〜＃３２）、画像データ補正装置３０から露光ヘッド１３へ１画素分の画像データが一斉に出力される。このときの、シアン用読出し制御回路３４Ｒのアドレス生成回路、並びに、マゼンタ用読出し制御回路３５Ｒ及びイエロー用読出し制御回路３６Ｒの偶数番目の画素用のアドレス生成回路の出力アドレスは、ステップ＃１６〜＃１９の状態を引き継いでいる。
【００３６】
このメモリ３１からの画像データの読出しを１行（ラスタ画像での行）分の画像データについて完了するまで繰り返す（ステップ＃３３）。
この間、シアン用読出し制御回路３４Ｒのアドレス生成回路は、１画素分の画像データの読出しを完了するたびに、出力アドレスを１だけ増加させる。但し、１行の終端に達したときは画像のサイズに応じた一定量だけアドレスをジャンプさせる。
又、マゼンタ用読出し制御回路３５Ｒ及びイエロー用読出し制御回路３６Ｒ夫々の、奇数番目の画素用及び偶数番目の画素用の双方のアドレス生成回路は、１画素飛ばしでアクセスするために、１画素分の画像データの書込みを完了するたびに、出力アドレスを２だけ増加させる。但し、１行の終端に達したときは画像のサイズに応じた一定量だけアドレスをジャンプさせるのは、上記と同様である。従って、奇数番目の画素用のアドレス生成回路の出力アドレスは、３行分だけ遅れて、偶数番目の画素用のアドレス生成回路の出力アドレスを一定間隔で追いかける形となる。
【００３７】
１行分の画像データの読出しを完了すると（ステップ＃３３）、赤色ライン状光源２１ａ等で露光するべき画像データがなくなるので、システム制御装置１４は、読み書きタイミング制御回路４１に対して、次の行に存在する画像データの書込み要求を送信する。
読み書きタイミング制御回路４１は、この書込み要求を受け取ると（ステップ＃３５）、上記ステップ＃３〜＃６の処理と同様にして、システム制御装置１４から入力される画像データをメモリ３１に書込み（ステップ＃３５〜＃３８）、１行分の画像データのメモリ３１への書込みが完了すると（ステップ＃３９）、ステップ＃２１に戻って処理を繰り返す。
ステップ＃２１〜＃３９の処理を繰り返すことで、１行分の画像データの読出しが完了すると次の１行分の画像データをメモリ３１に書込むという操作を繰り返すことになる。
このとき、シアン用書込み制御回路３４Ｗ，マゼンタ用書込み制御回路３５Ｗ及びイエロー用書込み制御回路３６Ｗのアドレス生成回路は、シアン，マゼンタ及びイエローの画像データの記憶のために夫々確保されている記憶エリアにおける最終行の領域まで画像データを書込むと、次の行の画像データは記憶エリアの先頭行の領域に書込むように出力アドレスを設定する。もちろん、このときの先頭行に記憶されている画像データは既に下流側緑色ライン状光源２１ｄ及び下流側青色ライン状光源２１ｅへ出力済みとなっているように各記憶エリアの記憶容量が設定されている。
シアン用読出し制御回路３４Ｒ，マゼンタ用読出し制御回路３５Ｒ及びイエロー用読出し制御回路３６Ｒの各アドレス生成回路も、上記の書込みアドレスの変化に追従するように動作する。
【００３８】
ステップ＃２１〜＃３９の処理の繰り返しでプリント処理が進行し、赤色ライン状光源２１ａ，上流側緑色ライン状光源２１ｂ及び上流側青色ライン状光源２１ｃへ出力するための画像データの読出しが、１つの画像の最終行まで完了したときは（ステップ＃３４）、データ出力要求の受取り回数が奇数のとき（下流側緑色ライン状光源２１ｄ及び下流側青色ライン状光源２１ｅにて露光される画素であるとき）は（ステップ＃４３）、上記のステップ＃２５〜＃２８と同様にして、画像データの読出しを継続するが、赤色ライン状光源２１ａ，上流側緑色ライン状光源２１ｂ及び上流側青色ライン状光源２１ｃの上流側の画像形成位置ＵＥのライン状光源２１に対しては、上記ステップ＃１２〜＃１５と同様にして、「０」値を出力することで各光源ＬＳに露光を停止させる（ステップ＃４１，＃４２，＃４８〜＃５１）。
下流側緑色ライン状光源２１ｄ及び下流側青色ライン状光源２１ｅへ出力するための画像データの読出しも完了すると（ステップ＃５２）、１画像についての処理を終了する。
以上のようにして、露光ヘッド１３へ画像データが送られると、その画像データに基づいた光量を各光源ＬＳが出射し、印画紙２上に画像を潜像として形成する。
露光ヘッド１３にて露光処理された印画紙２は、現像処理装置ＰＰにて現像処理され、仕上がり写真プリントとしてコンベア８上に排出される。
【００３９】
以上から、シアン用書込み制御回路３４Ｗ〜イエロー用補正読出し制御回路３９の各制御回路と、読み書きタイミング制御回路４１とを主要部として、各光源ＬＳの配置状態に対応して画像データを送るデータ管理装置ＤＭが構成され、そのデータ管理装置ＤＭには、メモリ３１に対する画像データの書込みを行う書込み制御装置ＷＣ（シアン用書込み制御回路３４Ｗ，マゼンタ用書込み制御回路３５Ｗ及びイエロー用書込み制御回路３６Ｗ）と、メモリ３１から画像データの読出しを行う読出し制御装置ＲＣ（シアン用読出し制御回路３４Ｒ，マゼンタ用読出し制御回路３５Ｒ及びイエロー用読出し制御回路３６Ｒ）とが別個に備えられた、赤色，緑色及び青色の各露光色に夫々に対応する個別露光色用制御装置ＤＣが設けられると共に、メモリ３１に対する補正用データの読出しを管理する補正用読出し制御装置ＣＣ（シアン用補正読出し制御回路３７，マゼンタ用補正読出し制御回路３８及びイエロー用補正読出し制御回路３９）が、赤色，緑色及び青色の各露光色の夫々に対応して設けられている。
【００４０】
〔別実施形態〕
以下、本発明の別実施形態を列記する。
（１）上記実施の形態では、ライン状光源２１に備えられる光源ＬＳとしてＬＥＤ素子や蛍光管発光素子を例示しているが、ＰＬＺＴ光シャッタ方式にて構成されるライン状光源等の各種のアレイ状の光源に本発明を適用できる。
（２）上記実施の形態では、赤色の光源については、上流側の画像形成位置ＵＥにのみ配置し、緑色及び青色の光源について、上流側の画像形成位置ＵＥ及び下流側の画像形成位置ＬＥの双方に１個ずつ配置する場合を例示しているが、画像形成値の接地箇所数や各画像形成位置での各色の光源の配置個数は適宜に変更可能である。
（３）上記実施の形態では、写真感光材料ＰＳとして印画紙２を例示しているが、感光フィルムその他の各種の写真感光材料ＰＳを用いる場合に本発明を適用できる。
（４）上記実施の形態では、メモリ３１の読み書きについて、最初４行分を読込み、３行分書き出した後は１行ずつ順次に読み書きを行う場合を例示しているが、この読み書きの制御態様は種々に変更可能であり、メモリ３１の容量によっては、最初から１行ずつ順に読み書きしても良く、又、最初に４行分を読込んで、１行分を出力すると次の１行分を読込むようにしても良く、容量が大きい場合には更に多くの行分を記憶するようにしても良い。
（５）上記実施の形態では、１つのメモリ３１内に画像データを記憶するためのエリアと補正用データを記憶するエリアとを備える場合を例示しているが、１つのアドレスバスＡＤに複数個のメモリを接続して、それら複数のメモリで形成される１つのアドレス空間内に画像データを記憶するためのエリアと補正用データを記憶するエリアとを割り付けるようにしても良い。
【図面の簡単な説明】
【００４１】
【図１】本発明の実施の形態にかかる露光ヘッド用制御装置のブロック構成図
【図２】本発明の実施の形態にかかる写真プリントシステムの概略ブロック構成図
【図３】本発明の実施の形態にかかる露光ヘッドの概略構成図
【図４】本発明の実施の形態にかかるフローチャート
【図５】本発明の実施の形態にかかるフローチャート
【図６】本発明の実施の形態にかかるフローチャート
【図７】本発明の実施の形態にかかるフローチャート
【符号の説明】
【００４２】
ＣＣ  補正用読出し制御装置
ＤＣ  個別露光色用制御装置
ＤＭ  データ管理装置
ＬＳ  光源
ＰＳ  写真感光材料
ＲＣ  読出し制御装置
ＷＣ  書込み制御装置
１３  露光ヘッド
２１  ライン状光源
３０  画像データ補正装置
３１  メモリ
【図１】
2006281671.tif 000003
【図２】
2006281671.tif 000004
【図３】
2006281671.tif 000005
【図４】
2006281671.tif 000006
【図５】
2006281671.tif 000007
【図６】
2006281671.tif 000008
【図７】
2006281671.tif 000009